(57)【要約】  個々の利用者の細かい事情や好みを反映した経路を案内する。経路案内システムの経路評価部は、複数提示した経路のうち、優先条件を満たしていない経路が選択された場合、前記優先条件を満たす経路と、前記選択された経路との距離差を、前記優先条件の重みづけ情報として記憶する。そして、経路評価部は、次回以降の経路の提示の際に、前記優先条件を満たす経路と、前記優先条件を満たさない経路との距離差が、前記重みづけ情報として保持した距離を超えている場合、前記優先条件を満たす経路よりも、前記優先条件を満たしていない経路を推奨する形態で、前記経路を提示する。
2020105575.tif 000002
【特許請求の範囲】
【請求項１】
利用者の端末から、経路の距離以外の経路の優先条件の設定を受け付ける設定受付部と、
経路計算用の地図を含む地図情報と、前記端末から入力された出発地と目的地とに基づいて、前記出発地から目的地に至ることのできる複数の経路を検索する経路検索部と、
前記検索した経路について、前記優先条件を満たすか否かを判定し、前記優先条件を満たす経路と、前記優先条件を満たさない経路とを並べて提示する経路評価部と、
前記端末から経路の選択を受け付けて経路案内を実施する案内部と、を備え、
前記経路評価部は、前記提示した経路のうち、前記優先条件を満たしていない経路が選択された場合、前記優先条件を満たす経路と、前記選択された経路との距離差を、前記優先条件の重みづけ情報として記憶し、
前記経路評価部は、次回以降の経路の提示の際に、前記優先条件を満たす経路と、前記優先条件を満たさない経路との距離差が、前記重みづけ情報として保持した距離を超えている場合、前記優先条件を満たす経路よりも、前記優先条件を満たしていない経路を推奨する形態で、前記経路を提示すること、
を特徴とする経路案内システム。
【請求項２】
前記優先条件を満たしていない経路が選択された場合、利用者ごとに、前記優先条件を満たしている経路と、前記選択された経路との距離差を記録し、
前記記録した距離差の統計値を、前記優先条件の重みづけ情報として利用する請求項１の経路案内システム。
【請求項３】
前記優先条件として、エレベーター利用経路、エスカレーター利用経路、階段利用経路、スローブ利用経路の少なくとも１つを設定可能である請求項１又は２の経路案内システム。
【請求項４】
前記経路評価部は、前記地図上のエレベーター、エスカレーター、階段、スローブの配置情報を格納するデータベースを参照して、前記経路が優先条件を満たすか否かを判定する請求項１から３いずれか一の経路案内システム。
【請求項５】
経路を選択しない条件を定めた非選択条件を設定可能であり、
前記経路評価部は、前記非選択条件に該当する経路の評価の対象から除外する請求項１から４いずれか一の経路案内システム。
【請求項６】
前記経路検索部は、前記端末から目的地に類似する施設が存在する代替経路も検索し、前記経路評価部による評価の候補に加える請求項１から５いずれか一の経路案内システム。
【請求項７】
利用者から、経路の距離以外の経路の優先条件の設定を受け付ける設定受付部と、
経路計算用の地図を含む地図情報と、前記利用者から入力された出発地と目的地とに基づいて、前記出発地から目的地に至ることのできる複数の経路を検索する経路検索部と、
前記検索した経路について、前記優先条件を満たすか否かを判定し、前記優先条件を満たす経路と、前記優先条件を満たさない経路とを並べて提示する経路評価部と、
前記利用者から経路の選択を受け付けて経路案内を実施する案内部と、を備え、
前記経路評価部は、前記提示した経路のうち、前記優先条件を満たしていない経路が選択された場合、前記優先条件を満たす経路と、前記選択された経路との距離差を、前記優先条件の重みづけ情報として記憶し、
前記経路評価部は、次回以降の経路の提示の際に、前記優先条件を満たす経路と、前記優先条件を満たさない経路との距離差が、前記重みづけ情報として保持した距離を超えている場合、前記優先条件を満たす経路よりも、前記優先条件を満たしていない経路を推奨する形態で、前記経路を提示すること、
を特徴とする端末。
【請求項８】
利用者から、経路の距離以外の経路の優先条件の設定を受け付けるステップと、
経路計算用の地図を含む地図情報と、前記利用者から入力された出発地と目的地とに基づいて、前記出発地から目的地に至ることのできる複数の経路を検索するステップと、
前記検索した経路について、前記優先条件を満たすか否かを判定し、前記優先条件を満たす経路と、前記優先条件を満たさない経路とを並べて提示するステップと、
前記利用者から経路の選択を受け付けて経路案内を実施するステップと、
前記提示した経路のうち、前記優先条件を満たしていない経路が選択された場合、前記優先条件を満たす経路と、前記選択された経路との距離差を、前記優先条件の重みづけ情報として記憶するステップと、を含み、
次回以降の経路の提示の際に、前記優先条件を満たす経路と、前記優先条件を満たさない経路との距離差が、前記重みづけ情報として保持した距離を超えている場合、前記優先条件を満たす経路よりも、前記優先条件を満たしていない経路を推奨する形態で、前記経路を提示する経路案内方法。
【請求項９】
利用者から、経路の距離以外の経路の優先条件の設定を受け付ける処理と、
経路計算用の地図を含む地図情報と、前記利用者から入力された出発地と目的地とに基づいて、前記出発地から目的地に至ることのできる複数の経路を検索する処理と、
前記検索した経路について、前記優先条件を満たすか否かを判定し、前記優先条件を満たす経路を推奨する形態で、前記複数の経路を提示する処理と、
前記利用者から経路の選択を受け付けて経路案内を実施する処理と、
前記提示した経路のうち、前記優先条件を満たしていない経路が選択された場合、前記優先条件を満たす経路と、前記選択された経路との距離差を、前記優先条件の重みづけ情報として記憶する処理と、を経路案内装置として機能するコンピュータに実行させ、
次回以降の経路の提示の際に、前記優先条件を満たす経路と、前記優先条件を満たさない経路との距離差が、前記重みづけ情報として保持した距離を超えている場合、前記優先条件を満たす経路よりも、前記優先条件を満たしていない経路を推奨する形態で、前記経路を提示する経路案内プログラム。
【発明の詳細な説明】
【技術分野】
【０００１】
［関連出願についての記載］
本発明は、日本国特許出願：特願２０１８−２１６４７７号（２０１８年１１月１９日出願）の優先権主張に基づくものであり、同出願の全記載内容は引用をもって本書に組み込み記載されているものとする。
本発明は、経路案内システム、端末、経路案内方法及びプログラムに関する。
【背景技術】
【０００２】
特許文献１に、建物内の施設設備、その機能若しくは状態、ユーザの属性若しくは権限、又は、訪問先若しくは訪問目的などを総合的に考慮することによって、各ユーザの個々の状況に適した経路ガイドを提供する方法が開示されている。同文献記載の方法では、ビルディング・インフォメーション・モデリング（ＢＩＭ）データと呼ばれるデータを用いて経路ガイドを提供する。より具体的には、同文献記載のコンピュータは、ＢＩＭデータ、経路上のセキュリティ情報、及び上記経路ガイドを利用するユーザのユーザ・プロファイルに基づいて経路を作成する。また、同文献の段落００７４には、ユーザの属性が例示されている。それによると、当該ユーザの性別、年齢若しくは年代、嗜好（例えば、エスカレーター又はエレベーターのいずれを優先するか）、妊婦、ベビー・カーの使用の有無、車椅子若しくは松葉杖の使用の有無等が挙げられている。【０００３】
特許文献２には、歩行者環境についての推奨をランク付けする方法が開示されている。具体的には、同文献には、推奨要求に応答して、ユーザの現在のロケーション、エンティティに関連するロケーション、および／またはアクセス可能性基準に基づいて、関連性のある推奨がランク付けされ得るロケーションアウェア推奨エンジンが開示されている。【０００４】
特許文献３には、歩行者の安全性を考慮した経路探索を行うという対象を人に特化したナビゲーションシステムが開示されている。同文献には、電子的な経路探索に利用される電子地図データとして、歩行路を表すリンクデータと歩行路同士の結合点または端点を表すノードデータとによって現実の歩行路のつながり状態を表す歩行路データを用いる構成が開示されている。同文献には、歩行路の周辺の状況に応じた歩行路の安全性を表す周辺コストデータを用いることが記載されている。そして、歩行者の性別および年齢のうち、少なくとも一つを考慮して類別した歩行者区分毎に、前記周辺コストデータを、前記各リンクデータに対応付けて記憶した電子地図データを用いることにより、歩行者の特徴に応じた安全な経路を探索すると記載されている。
【先行技術文献】
【特許文献】
【０００５】
【特許文献１】国際公開第２０１４／１３２８０２号
【特許文献２】特開２０１４−１６００９３号公報
【特許文献３】特開２００７−４１００５号公報
【発明の概要】
【発明が解決しようとする課題】
【０００６】
以下の分析は、本発明によって与えられたものである。特許文献１〜３に各種の歩行者向けの経路案内装置（ナビゲーションシステム）が開示されている。しかしながら、移動に関する利用者の細かい好みを反映した経路の案内ができないという問題点がある。例えば、無条件にエレベーターを好む者、無条件にエスカレーターを好む者、さらには、基本的にエレベーターを好むが目的地まで歩行する総距離が伸びるのであれば、エスカレーターを選択する者がいる。【０００７】
本発明は、上記した個々の利用者の細かい好みないし必要性を反映した経路を案内することにより、その利便性の向上に貢献できる経路案内システム、端末、経路案内方法及びプログラムを提供することを目的とする。
【課題を解決するための手段】
【０００８】
第１の視点によれば、利用者の端末から、経路の距離以外の経路の優先条件の設定を受け付ける設定受付部を備えた経路案内システムが提供される。この経路案内システムは、さらに、経路計算用の地図を含む地図情報と、前記端末から入力された出発地と目的地とに基づいて、前記出発地から目的地に至ることのできる複数の経路を検索する経路検索部を備える。この経路案内システムは、さらに、前記検索した経路について、前記優先条件を満たすか否かを判定し、前記優先条件を満たす経路と、前記優先条件を満たさない経路とを並べて提示する経路評価部を備える。この経路案内システムは、さらに、前記端末から経路の選択を受け付けて経路案内を実施する案内部を備える。より具体的には、前記経路評価部は、前記提示した経路のうち、前記優先条件を満たしていない経路が選択された場合、前記優先条件を満たす経路と、前記選択された経路との距離差を、前記優先条件の重みづけ情報として記憶する。そして、前記経路評価部は、次回以降の経路の提示の際に、前記優先条件を満たす経路と、前記優先条件を満たしていない経路との距離差が、前記重みづけ情報として保持した距離を超えている場合、前記優先条件を満たす経路よりも、前記優先条件を満たさない経路を推奨する形態で、前記経路を提示する。【０００９】
第２の視点によれば、利用者から、経路の距離以外の経路の優先条件の設定を受け付ける設定受付部と、経路計算用の地図を含む地図情報と、前記利用者から入力された出発地と目的地とに基づいて、前記出発地から目的地に至ることのできる複数の経路を検索する経路検索部と、前記検索した経路について、前記優先条件を満たすか否かを判定し、前記優先条件を満たす経路と、前記優先条件を満たさない経路とを並べて提示する経路評価部と、前記利用者から経路の選択を受け付けて経路案内を実施する案内部と、を備え、前記経路評価部は、前記提示した経路のうち、前記優先条件を満たしていない経路が選択された場合、前記優先条件を満たす経路と、前記選択された経路との距離差を、前記優先条件の重みづけ情報として記憶し、前記経路評価部は、次回以降の経路の提示の際に、前記優先条件を満たす経路と、前記優先条件を満たさない経路との距離差が、前記重みづけ情報として保持した距離を超えている場合、前記優先条件を満たす経路よりも、前記優先条件を満たしていない経路を推奨する形態で、前記経路を提示する端末が提供される。【００１０】
第３の視点によれば、利用者から、経路の距離以外の経路の優先条件の設定を受け付けるステップと、経路計算用の地図を含む地図情報と、前記利用者から入力された出発地と目的地とに基づいて、前記出発地から目的地に至ることのできる複数の経路を検索するステップと、前記検索した経路について、前記優先条件を満たすか否かを判定し、前記優先条件を満たす経路と、前記優先条件を満たさない経路とを並べて提示するステップと、前記利用者から経路の選択を受け付けて経路案内を実施するステップと、前記提示した経路のうち、前記優先条件を満たしていない経路が選択された場合、前記優先条件を満たす経路と、前記選択された経路との距離差を、前記優先条件の重みづけ情報として記憶するステップと、を含む経路案内方法が提供される。さらに、この経路案内方法は、次回以降の経路の提示の際に、前記優先条件を満たす経路と、前記優先条件を満たしていない経路との距離差が、前記重みづけ情報として保持した距離を超えている場合、前記優先条件を満たす経路よりも、前記優先条件を満たしていない経路を推奨する形態で、前記経路を提示する。本方法は、利用者の端末に対して経路案内を行う経路案内装置という、特定の機械に結びつけられている。【００１１】
第４の視点によれば、利用者から、経路の距離以外の経路の優先条件の設定を受け付ける処理と、経路計算用の地図を含む地図情報と、前記利用者から入力された出発地と目的地とに基づいて、前記出発地から目的地に至ることのできる複数の経路を検索する処理と、前記検索した経路について、前記優先条件を満たすか否かを判定し、前記優先条件を満たす経路を推奨する形態で、前記複数の経路を提示する処理と、前記利用者から経路の選択を受け付けて経路案内を実施する処理と、前記提示した経路のうち、前記優先条件を満たしていない経路が選択された場合、前記優先条件を満たす経路と、前記選択された経路との距離差を、前記優先条件の重みづけ情報として記憶する処理と、を経路案内装置として機能するコンピュータに実行させ、次回以降の経路の提示の際に、前記優先条件を満たす経路と、前記優先条件を満たさない経路との距離差が、前記重みづけ情報として保持した距離を超えている場合、前記優先条件を満たす経路よりも、前記優先条件を満たしていない経路を推奨する形態で、前記経路を提示する経路案内プログラムが提供される。なお、このプログラムは、コンピュータが読み取り可能な（非トランジトリーな）記憶媒体に記録することができる。即ち、本発明は、コンピュータプログラム製品として具現することも可能である。
【発明の効果】
【００１２】
本発明によれば、個々の利用者の細かい好みないし必要性を反映した経路を案内することが可能となる。即ち、本発明は、背景技術に示した経路案内システムを、その経路提示機能の面で、飛躍的にその性能を改善させたものへと変換するものとなっている。
【図面の簡単な説明】
【００１３】
【図１】本発明の一実施形態の構成を示す図である。
【図２】本発明の一実施形態の動作を説明するための図である。
【図３】本発明の一実施形態の動作を説明するための図である。
【図４】本発明の一実施形態の動作を説明するための図である。
【図５】本発明の一実施形態の動作を説明するための図である。
【図６】本発明の一実施形態の動作を説明するための図である。
【図７】本発明の一実施形態の動作を説明するための図である。
【図８】本発明の第１の実施形態の経路案内システムの構成を示す図である。
【図９】本発明の第１の実施形態の経路案内装置の構成を示す機能ブロック図である。
【図１０】本発明の第１の実施形態の経路評価装置の構成を示す機能ブロック図である。
【図１１】本発明の第１の実施形態の経路案内システムにおける情報の流れを表した概念図である。
【図１２】本発明の第１の実施形態の経路案内システムの動作を表したフローチャートである。
【図１３】本発明の経路案内システムを構成するコンピュータの構成を示す図である。
【発明を実施するための形態】
【００１４】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。また、以降の説明で参照する図面等のブロック間の接続線は、双方向及び単方向の双方を含む。一方向矢印については、主たる信号（データ）の流れを模式的に示すものであり、双方向性を排除するものではない。また、図中の各ブロックの入出力の接続点には、ポート乃至インタフェースがあるが図示省略する。プログラムはコンピュータ装置を介して実行され、コンピュータ装置は、例えば、プロセッサ、記憶装置、入力装置、通信インタフェース、及び必要に応じ表示装置を備える。また、コンピュータ装置は、通信インタフェースを介して装置内又は外部の機器（コンピュータを含む）と、有線、無線を問わず、交信可能に構成される。また、以下の説明において、「Ａ及び／又はＢ」は、Ａ及びＢの少なくともいずれかという意味で用いる。
【００１５】
本発明は、その一実施形態において、図１に示すように、設定受付部１１と、経路検索部１２と、経路評価部１３と、案内部１４と、を備えた経路案内システム１０にて実現できる。より具体的には、設定受付部１１は、利用者の端末２０から、経路の距離以外の経路の優先条件の設定を受け付ける。経路検索部１２は、経路計算用の地図を含む地図情報と、前記端末から入力された出発地と目的地とに基づいて、前記出発地から目的地に至ることのできる複数の経路を検索する。経路評価部１３は、前記検索した経路について、前記優先条件を満たすか否かを判定し、前記優先条件を満たす経路と、前記優先条件を満たさない経路とを並べて提示する。そして、案内部１４は、前記端末から経路の選択を受け付けて経路案内を実施する。
【００１６】
さらに、前記経路評価部１３は、前記提示した経路のうち、前記優先条件を満たしていない経路が選択された場合、前記優先条件を満たす経路と、前記選択された経路との距離差を、前記優先条件の重みづけ情報として記憶する。そして、前記経路評価部１３は、次回以降の経路の提示の際に、前記優先条件を満たす経路と、前記優先条件を満たしていない経路との距離差が、前記重みづけ情報として保持した距離を超えている場合、前記優先条件を満たす経路よりも、前記優先条件を満たさない経路を推奨する形態で、前記経路を提示する。
【００１７】
上記経路評価部１３の動作について具体的な例を示して説明する。例えば、図２に示すように、端末２０が、経路案内システム１０に対し、出発地：Ａ、目的地：Ｂ、「エレベーター利用経路優先」という優先条件で経路案内を要求したものとして説明する。また、優先条件は、経路検索の都度指定するのではなく、事前に利用者が登録しておいてもよい。また、出発地：Ａとして、ＧＰＳ（Ｇｌｏｂａｌ  Ｐｏｓｉｔｉｏｎｉｎｇ  Ｓｙｓｔｅｍ）などから取得した端末２０の位置情報を利用してもよい。
【００１８】
前記出発地と目的地の入力を受けた経路検索部１２は、経路計算用の地図を含む地図情報を参照して、出発地から目的地に至ることのできる複数の経路を検索する。ここでは、図３の右側に示すように、出発地：Ａは、低層階のある地点であり、目的地：Ｂは、上層階のある地点であり、エレベーター（ＥＶ）利用経路と、階段利用経路の２つの経路が検索されたものとする。
【００１９】
次に、経路評価部１３は、前記検索した経路について、前記優先条件を満たすか否かを判定する。ここでは、エレベーター（ＥＶ）利用経路と、階段利用経路の２つが見つかっているので、経路評価部１３は、図４に示すように、経路１：エレベーター（ＥＶ）利用経路と、経路２：階段利用経路とを並べて提示する。以下、ここでは、利用者が、エレベーター（ＥＶ）利用経路（３００ｍ）より距離の短い階段利用経路（２００ｍ）を選択したものとする。
【００２０】
この場合、経路評価部１３は、経路１：エレベーター（ＥＶ）利用経路（３００ｍ）と、経路２：階段利用経路（２００ｍ）との距離差である１００ｍを優先条件（エレベーター利用経路優先）の重みづけ情報として記憶する。
【００２１】
以降、前記経路評価部１３は、経路の提示の際に、前記優先条件を満たす経路と、前記優先条件を満たしていない経路との距離差が、前記重みづけ情報として保持した距離を超えている場合、前記優先条件を満たす経路よりも、前記優先条件を満たさない経路を推奨する形態で、前記経路を提示する。例えば、同じ利用者が、出発地：Ｃ、目的地：Ｄ、「エレベーター利用経路優先」という優先条件で経路案内を要求し、図５の右側に示すような２つの経路が見つかったものとする。
【００２２】
ここで、図６に示すように、エレベーター（ＥＶ）利用経路（経路２）の距離は３２０ｍ、階段利用経路の距離が１８０ｍであるとすると、その距離差は１４０ｍとなる。距離差１４０ｍは、重みづけ情報として保持した距離１００ｍを超えているので、経路評価部１３は、優先条件を満たすエレベーター（ＥＶ）利用経路よりも、前記階段利用経路を推奨する形態で、経路を提示する。これにより、利用者は、ある程度の距離差を超えると階段を利用するという自身の行動パターンにあった経路を速やかに選択することができるようになる。
【００２３】
一方、同じ利用者が、出発地：Ｅ、目的地：Ｆ、「エレベーター利用経路優先」という優先条件で経路案内を要求し、図７の右側に示すような２つの経路が見つかった場合のお勧め経路は、エレベーター（ＥＶ）利用経路となる。その理由は、図７の場合、エレベーター（ＥＶ）利用経路（経路１）の距離は２５０ｍ、階段利用経路の距離が１８０ｍであるので、その距離差は７０ｍであるからである。このような経路の選択は、利用者は、ある程度の距離差以内ならエレベーター（ＥＶ）を利用したいという利用者の行動パターンに合っている。
【００２４】
以上、説明したように、本実施形態によれば、利用者の過去の経路選択結果を用いて利用者の意思決定パターン（好み）を推定し、その結果に応じた経路の推奨を行うことが可能となる。なお、優先条件を満たさない経路を推奨する形態としては、種々のものが考えられる。例えば、ランキングの上位に配置する、強調表示を行う、「お勧め」といったメッセージを付加するといった種々の形態を採用することができる。
【００２５】
［第１の実施形態］
続いて、本発明の第１の実施形態について図面を参照して詳細に説明する。図８は、本発明の第１の実施形態の経路案内システムの構成を示す図である。図８を参照すると、少なくとも１台の経路評価装置１５０と、少なくとも１台のバリアフリーデータベース３００と、少なくとも１台の経路案内装置１００と、を備えた経路案内システム１０ａが示されている。経路案内システム１０ａは、ネットワーク（ＮＷ）を介して、スマートフォン２００に対して地図情報サービスと経路案内サービスを提供する。なお、以下の説明では、経路評価装置１５０、バリアフリーデータベース３００及び経路案内装置１００は、ネットワークを介して接続されているものとして説明するが、同一のプラットフォームに共存していてもよい。
【００２６】
経路案内装置１００は、経路評価装置１５０およびバリアフリーデータベース３００との連携機能を備える。図９は、経路案内装置１００の構成を示す機能ブロック図である。図９を参照すると、経路案内装置１００は、ユーザインタフェース部１１ａと、経路検索部１２と、案内部１４と、ナビゲーション用地図記憶部１５とを備えている。ユーザインタフェース部１１ａは、スマートフォン２００の利用者から経路案内の始点と終点（出発地と目的地）やエレベーター優先、エレベーター又はエスカレーター優先、階段利用優先といった優先条件を受けつける。このユーザインタフェース部１１ａは、上記した設定受付部１１に相当する。優先条件については、後に詳細に説明する。
【００２７】
経路検索部１２は、ナビゲーション用地図記憶部１５に保持された経路案内用地図を参照し、ユーザインタフェース部１１ａより受け付けた始点（出発地）から終点（目的地）に至る経路を検索する。経路検索部１２における経路検索の手法としては、特許文献１〜３に記載の方法を用いることもできる。
【００２８】
ナビゲーション用地図記憶部１５は、経路案内用地図を記憶する。経路案内用地図としては、特許文献３に記載の通路をリンク、通路同士の結合点や端点をノードで表した経路計算用の地図データと、ユーザ提示用の地図データとの組み合わせを用いることができる。
【００２９】
案内部１４は、スマートフォン２００の利用者から選択された経路に従い、経路案内を実施する。
【００３０】
スマートフォン２００は、インストールされた経路案内アプリケーションプログラム（以下、「アプリケーション」と記す）を介して経路案内装置１００と情報の送受信を行う。なお、図８ではスマートフォン２００のみを示しているが、その他の端末から経路案内装置１００にアクセスし、経路案内サービスの提供を受けられるようにしてもよい。例えば、パーソナルコンピュータや専用のナビゲーション端末から経路案内装置１００にアクセスし、経路案内サービスの提供を受けられるようにしてもよい。
【００３１】
経路評価装置１５０は、経路案内装置１００との連携機能を備え、経路案内装置１００から受け取ったバリアフリーデータベース３００の情報等を参照して、経路案内装置１００にて作成された経路の評価を行う。
【００３２】
より具体的には、経路評価装置１５０は、経路評価部１５１と、記録部１５２とを備える。記録部１５２には、利用者データベースが構築され利用者毎に優先条件が記憶される。経路評価部１５１は、経路案内装置１００から受信した経路候補の評価を行うほか、利用者が選択した経路情報に基づいて、利用者の優先条件に基づく評価ロジックの更新を行う。経路評価部１５１による評価ロジックの更新は、後に詳述する。
【００３３】
バリアフリーデータベース３００は、地図上の道路や施設のバリア情報、障碍者向け設備情報を保持するデータベースである。バリア情報は、例えば、エレベーター、エスカレーター、スロープ、歩道橋、通路上の段差、路面の種別のほか、これらの詳細な情報が含まれる。詳細な情報としては、スロープの勾配、手すりの有無、歩道橋や階段の段数、１段の高さなどが例示される。
【００３４】
なお、経路評価装置１５０及びバリアフリーデータベース３００は、経路案内装置１００と同一のサービス提供主体が保持、管理することが考えられるが、別のサービス提供主体が、これらを保持、管理する構成も採用可能である。この場合、経路評価装置１５０及びバリアフリーデータベース３００がそれぞれ、経路案内装置１００に対し必要な情報を提供することになる。
【００３５】
図１１は、本発明の第１の実施形態の経路案内システムにおける情報の流れを表した概念図である。図１１を参照すると、利用者（スマートフォン２００）は、経路評価装置１５０に対して、優先条件、即ち、バリアフリーにおける優先事項と、経路選択の結果（フィードバック）を提供する。
【００３６】
経路評価装置１５０は、利用者（スマートフォン２００）から受け取った優先条件、即ち、経路検索における優先事項と、経路選択の結果（フィードバック）に基づいて経路（候補経路）を評価する。経路評価装置１５０は、前記経路（候補経路）の評価結果を経路案内装置１００に送る。
【００３７】
経路案内装置１００は、利用者（スマートフォン２００）に対して、最適経路候補を含む経路の候補を提示する。
【００３８】
続いて、本実施形態の動作について図面を参照して詳細に説明する。図１２は、本発明の第１の実施形態の経路案内システムの動作を表したフローチャートである。以下、図１２に沿って各エンティティの動作を説明する。
【００３９】
Ｓ１（評価条件の入力）：利用者は、事前にスマートフォン２００のアプリケーションに、経路の優先条件を入力する。
【００４０】
優先条件としては、以下のようなものが考えられる。例えば、利用者が障がいを持っている場合、階をまたぐフロア移動に関して、エレベーター必須、エレベーター又はエスカレーター必須（階段不可）、エレベーター又はエスカレーター優先だが階段も可（許容する移動距離／段数等を指定）などの項目を設定できるようにすることが好ましい。また、水平方向の移動における段差移動に関し、スロープ必須、スロープ優先だが階段も可（許容する移動距離、階段の段数、１段の高さ等を指定）などの項目を設定できるようにすることが好ましい。また、道路に関して、歩道橋不可、低段差かつ舗装路最優先、歩道橋不可かつ低段差／舗装路優先（許容できる移動距離、段差の高さ等指定）、歩道橋可（許容できる移動距離、歩道橋階段部分の段数等を指定）、段差及び路面は気にしないなどの項目を設定できるようにすることが好ましい。もちろん、健常者においても、好みは様々であり、エレベーター優先、エスカレーター優先、階段優先、歩道のある道路優先等を設定できるようにすることが好ましい。また、優先条件として、階段を利用する経路を使用しない（不可）といった非選択条件を設定できるようにしてもよい。
【００４１】
Ｓ２（優先条件の送信）：スマートフォン２００のアプリケーションは、経路案内装置１００に対し、Ｓ１で入力された優先条件と利用者を特定するための個人ＩＤとを送信する。
【００４２】
Ｓ３（優先条件の受信）：経路案内装置１００はＳ２で送信された個人ＩＤと優先条件を受信する。
Ｓ４（優先条件の送信）：経路案内装置１００はＳ３で受信した個人ＩＤと優先条件を経路評価システムへ送信する。
【００４３】
Ｓ５（優先条件の受信）：経路評価装置１５０は、Ｓ４で送信された個人ＩＤと優先条件を受信する。
Ｓ６（優先条件の保存）：経路評価装置１５０は、Ｓ５で受信した個人ＩＤと優先条件を記録部１５２の利用者データベースに保存する。
【００４４】
以上が、本実施形態の経路案内システムを使用するにあたり必要な初期設定である。続いて、経路の検索の都度行われる動作について説明する。
【００４５】
Ｓ７（経路検索要求の入力）：利用者はスマートフォン２００のアプリケーションに出発地点・目的地点を入力する。前述のように、スマートフォン２００のＧＰＳから得られた現在地を出発地点として利用してもよい。
Ｓ８（経路検索要求の送信）：スマートフォン２００のアプリケーションはＳ７で入力された出発地点・目的地点に個人ＩＤを付与し、経路案内装置１００に送信する。
【００４６】
Ｓ９（経路検索要求の受信）：経路案内装置１００はＳ８で送信された個人ＩＤと出発地点・目的地点を受信する。
Ｓ１０（経路候補の作成）：経路案内装置１００はＳ９で受信した出発地点・目的地点から利用者に提示する複数の経路を作成（検索）する。
Ｓ１１（経路候補の送信）：経路案内装置１００は、バリアフリーデータベース３００にＳ１０で作成した経路候補を送信し、経路候補となった経路上のバリア情報を問い合わせる。
【００４７】
Ｓ１２（経路候補の受信）：バリアフリーデータベース３００は、Ｓ１１で送信された経路候補を受信する。
Ｓ１３（経路候補上のバリア情報の抽出）：バリアフリーデータベース３００は、Ｓ１２で受信した経路更新補上の道路・施設のバリア情報を抽出する。
Ｓ１４（経路候補上のバリア情報の送信）：バリアフリーデータベース３００は、経路案内装置１００に対し、Ｓ１３で抽出した経路候補のバリア情報を送信する。
【００４８】
Ｓ１５（経路候補上のバリア情報の受信）：経路案内装置１００は、Ｓ１４で送信された経路候補上のバリア情報を受信する。
Ｓ１６（経路候補及びバリア情報の送信）：経路案内装置１００は、経路評価装置１５０に対し、Ｓ９で受信した個人情報、Ｓ１０で選定した経路候補及びＳ１５で受信した経路候補上のバリア情報を送信する。
【００４９】
Ｓ１７（経路候補及びバリア情報の受信）：経路評価装置１５０は、Ｓ１６で送信された個人ＩＤ、候補経路、バリア情報を受信する。
Ｓ１８（経路候補の評価）：経路評価装置１５０は、Ｓ１７で受信した個人ＩＤと合致する優先条件と、バリア情報とに基づいて、経路候補の評価を行う。例えば、以下の手順で経路候補を評価することができる。
【００５０】
（Ｅ１）経路候補のうち、優先条件で「不可」と指定されたバリア（階段等）を経由する経路を除外する。優先条件で「不可」と指定した内容が非選択条件として機能する。
（Ｅ２）残った候補経路のうち、Ｓ１で入力した優先条件で設定された条件を充足する度合いにより、経路候補にスコアを付ける。このうちのスコアが最も高い経路が最高評価となる。一方、最高評価の経路候補よりもスコアが低いが距離が短くなる経路候補は、そのスコア順に並べる（提示順序の決定）。この最高評価の経路を含む経路候補の並び替えを「評価ロジック」という。
【００５１】
Ｓ１９（評価済み経路候補の送信）：経路評価装置１５０は、経路案内装置１００に対し、Ｓ９で受信した個人ＩＤおよびＳ１８で決定した評価済み経路候補を送信する。
【００５２】
Ｓ２０（評価済み経路候補の受信）：経路案内装置１００は、Ｓ１９で送信された個人ＩＤと評価済み経路候補を受信する。
Ｓ２１（評価済み経路候補の送信）：経路案内装置１００は、Ｓ２０で受信した個人ＩＤのスマートフォン２００に対し、評価済み経路候補を送信する。
【００５３】
Ｓ２２（評価済み経路候補の受信）：スマートフォン２００のアプリケーションは、Ｓ２１で送信された評価済み経路候補を受信する。
Ｓ２３（評価済み経路候補の表示）：スマートフォン２００のアプリケーションは、Ｓ２２で受信した評価済み経路候補について、それぞれの経路の地図上のルート、距離、優先条件への合致度等を表示する。優先条件への合致度としては、前述のスコアを用いてもよいし、設定された項目のうち条件を満たしている項目の割合等を用いてもよい。
Ｓ２４（経路の選択の受け付け）：利用者は、スマートフォン２００のアプリケーションに表示された経路候補から経路を選択する。
Ｓ２５（経路の案内）：スマートフォン２００のアプリケーションは、選択された経路に基づいて、経路案内を開始する。
Ｓ２６（選択された経路情報を送信）：スマートフォン２００のアプリケーションは選択された経路の情報に個人ＩＤを付与し、経路案内装置１００へ送信する。
【００５４】
Ｓ２７（選択された経路情報を受信）：経路案内装置１００は、Ｓ２６で送信された個人ＩＤと選択された経路情報を受信する。
Ｓ２８（選択された経路情報の送信）：経路案内装置１００は、経路評価装置１５０に対し、Ｓ２７で受信した個人ＩＤと選択された経路情報を送信する。
【００５５】
Ｓ２９（選択された選択経路の送信）：経路評価装置１５０は、Ｓ２８で送信された個人ＩＤと選択された経路情報を受信する。
Ｓ３０（優先条件の更新）経路評価装置１５０は、Ｓ２９で受信した選択された経路情報に基づき、Ｓ２９で受信した個人ＩＤの上記Ｓ１８の評価手順中の評価ロジック（Ｅ２）を変更する。
【００５６】
ここで、上記経路評価装置１５０における優先条件の更新の手順について説明する。
（Ｅ１１）Ｓ１８における最高評価の経路が選択された場合、経路評価装置１５０は、優先条件による経路評価を更新しない。最高評価の経路が選択されたということは、現状の優先条件による経路の評価が適切であることを示しているからである。
【００５７】
（Ｅ１２）前記最高評価の経路以外の経路が選択された場合、経路評価装置１５０は、当該経路が充足していない優先条件の項目と短縮された距離を記録する。例えば、エレベーター優先かつエスカレーター可の利用者が、エレベーター利用経路よりも１００ｍ距離が短くなるエスカレーター利用経路を選択した場合、エレベーター優先という優先条件中の項目に対する、距離１００ｍを記録する。
【００５８】
（Ｅ１３）経路評価装置１５０は、この距離を、次回以降の該当ユーザのエレベーター利用経路とエスカレーター利用経路の評価の際の閾値（後述の「順序入替閾値」）として保存する。なお、この閾値は、常に最新の値を用いることとしてもよいし、過去の一定期間の距離を蓄積し、その平均を用いることとしてもよい。
【００５９】
（Ｅ１４）次回以降のＳ１８の評価において、経路評価装置１５０は、優先条件の充足度が最も高い経路候補と、優先条件のうち一部充足していない項目があるが過去に選択されたことのある経路候補を選択する。そして、経路評価装置１５０は、優先条件の充足度が最も高い経路候補との距離差と、前記充足していない項目について記憶している閾値とを比較し、いずれか高い方を最高評価の経路候補とする。
【００６０】
なお、上記（Ｅ１４）における比較は、経路全体で行ってもよいが、細分化した区間ごとに評価して、その次に合計値を比較してもよい。
【００６１】
以下、経路評価装置１５０によるＳ１８の評価手順中の評価ロジック（Ｅ２）の変更の例を説明する。以下の説明では、優先条件として、エレベーター（優先、可、不可）、エスカレーター（優先、可、不可）、階段（優先、可、不可）の３項目のうち１つを「優先」に指定できるものとする。また、エレベーターとエスカレーター、エスカレーターと階段間で、両者の距離差による順位入替を行う閾値（順序入替閾値）として初期状態では、∞が自動設定されるものとする。なお、閾値（順序入替閾値）＝∞は、入替を行わないことを意味する。
【００６２】
（ケース１：利用者Ａの場合）
Ｓ１の優先条件：エレベーター優先、エスカレーター可、階段不可、エレベーター利用経路とエスカレーター利用経路の順序入替閾値＝∞
【００６３】
Ｓ１０の経路作成処理で、エレベーター利用経路１０００ｍ、エスカレーター利用経路９５０ｍの２つの経路が作成されたものとする。この場合、エレベーター利用経路１０００ｍが優先条件を満たすため、最高評価の経路候補となる。このため、Ｓ２３において、スマートフォン２００には、エレベーター利用経路１０００ｍ、エスカレーター利用経路９５０ｍの順で提示される。
【００６４】
Ｓ２４で、利用者が、エスカレーター利用経路を選択すると、閾値（順序入替閾値）＝５０ｍが設定される。これにより、以降の経路検索において、エレベーター利用経路とエスカレーター利用経路の比較において、エスカレーター利用経路の方が５０ｍ以上短くなる場合、エスカレーター経路をエレベーター経路より優先する。
【００６５】
その後、利用者Ａが別の経路検索を行った際に、Ｓ１０の経路作成処理で、エレベーター利用経路１０００ｍ、エスカレーター利用経路９５０ｍ、エスカレーター利用経路９３０ｍ、階段利用経路９００ｍの４つの経路が作成されたものとする。この場合、階段利用経路は、階段不可の設定であるため、（Ｅ１）にて経路候補から除外される。残る３つの経路候補のうち、エスカレーター利用経路９３０ｍが順序入替閾値を超えた経路のうち最短であるため、最高評価の経路候補となる。このため、Ｓ２３において、スマートフォン２００には、エスカレーター利用経路９３０ｍ、エスカレーター利用経路９５０ｍ、エレベーター利用経路１０００ｍの順で提示される。なお、この検索の過程で、階段利用経路が見つかっても、階段不可の設定であるため、（Ｅ１）にて経路候補から除外される。
【００６６】
一方、利用者Ａが別の経路検索を行った際に、Ｓ１０の経路作成処理で、エレベーター利用経路９５０ｍ、エスカレーター利用経路９３０ｍの２つの経路が作成されたものとする。この場合、両者の距離差＜順序入替閾値であるため、エレベーター利用経路９５０ｍが最高評価となる。
【００６７】
そこでさらに、Ｓ２４で、利用者が、エスカレーター利用経路を選択すると、その距離差が閾値に反映される。例えば、前述のように、順序入替閾値を５０ｍ＋２０ｍ／２により、以降、順序入替閾値は３５ｍとなる。これにより、以降の経路検索において、エレベーター利用経路とエスカレーター利用経路の比較において、エスカレーター利用経路の方が３５ｍ以上短くなる場合、エスカレーター経路をエレベーター経路より優先する。このように順序入替閾値として、過去に最高評価の経路が選択されなかった際の距離差の統計値（平均値）を用いることもできる。
【００６８】
なお、経路候補に示す経路上に前記優先条件として定めたエレベーター、エスカレーター、階段等、バリア要素に含まれる要素が複数存在する場合、これらの数を考慮して順序入替閾値に反映する値を按分してもよい。
【００６９】
例えば、上記利用者Ａが、Ｃ地点を出発地、Ｄ地点を目的地とする経路検索を行なった結果、経路上にエレベーター、エスカレーターが複数存在することも想定される。
Ｃ地点  ⇒  Ｄ地点
経路１  エレベーター×３  １０００ｍ（最高評価）
経路２  エスカレーター×３  ７５０ｍ
【００７０】
ここで、利用者Ａが経路２を選択した場合、経路１と経路２の距離差は２５０ｍとなる。例えば、現状の順序入替閾値３５ｍを次式により更新することができる。ここで、分母の３は、エスカレーターが３台あることを考慮した値である。
（３５ｍ＋２５０ｍ）／（１＋３）＝７１．２５ｍ
これにより、以降の経路検索において、エレベーター利用経路とエスカレーター利用経路の比較において、エスカレーター利用経路の方が７１．２５ｍ以上短くなる場合、エスカレーター経路をエレベーター経路より優先することになる。
【００７１】
例えば、利用者Ａが別の経路検索を行った際に、Ｓ１０の経路作成処理で、エレベーター利用経路１０００ｍ、エスカレーター利用経路９５０ｍ、９２０ｍ、階段利用経路９００ｍの４つの経路が作成されたものとする。この場合、エレベーター利用経路１０００ｍが優先条件の充足度が高いが、エスカレーター利用経路９２０ｍとの距離差が８０ｍあるので、順序入替閾値により、エスカレーター利用経路が最高評価の経路となる。そして、その次が、優先条件の充足度が高いエレベーター利用経路１０００ｍ、その次がエスカレーター利用経路９５０ｍとなる。なお、階段利用経路は、優先条件の不可項目であるので、除外される。
【００７２】
以上説明したように、本実施形態によれば、本発明により、利用者毎の障碍や筋力、体力等の制限や行動パターンなどの特性に応じて、最適となる経路を選択することができる。その理由は、実際の各人の経路選択に基づいて、評価（順位の入替）を行う構成を採用したことにある。
【００７３】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００７４】
例えば、上記した実施形態では、経路全体の比較を行ったが。２つの経路の共通区間は除外して、比較、評価する方法も採用可能である。例えば、下記Ａ地点を出発地、Ｅ地点を目的地とする経路検索の結果、経路１、経路２が得られた場合、Ａ地点からＢ地点は共通であるため、Ｂ地点からＥ地点の区間について、優先条件の充足度や距離差による順位付けを行えばよい。
経路１  Ａ地点  ⇒  Ｂ地点  ⇒  Ｃ地点  ⇒  Ｅ地点
経路２  Ａ地点  ⇒  Ｂ地点  ⇒  Ｄ地点  ⇒  Ｅ地点
【００７５】
また上記した実施形態において、前記経路検索部１２が、スマートフォン２００から入力された目的地に類似する施設が存在する代替経路も検索し、経路候補に加える構成も採用可能である。この場合、経路評価装置１５０は、これら代替経路も評価の対象に加えることになる。
【００７６】
また上記した実施形態において、バリアフリーデータベース３００から取得できる情報が更新された場合などに、新たな優先条件として追加設定を受け付ける構成も採用可能である。この追加は、経路評価装置１５０が自動的に優先条件に初期値を追加設定する方法と、利用者に追加登録の要否を確認してから優先条件の設定を受け付ける方法が考えられる。
【００７７】
上記した経路案内装置１００、経路評価装置１５０、バリアフリーデータベース３００のいずれか、もしくはその全部の機能は、スマートフォン２００内で実現してもよい。従って、上記した経路案内システムは、スマートフォン単体で実現することも可能である。
【００７８】
また、上記した経路評価ロジックにおいて、経路評価装置１５０が、別途周辺環境等（例：天候など）の状況を取得し、周辺環境に応じた評価を行うようにしてもよい。例えば、優先条件として、屋根のある経路優先という条件を設定可能とすることで、雨天の場合に、雨に濡れない経路を案内することもできる。また、雨に濡れる区間があるが、距離の短い経路が選択された場合、その距離差を順序入替閾値として利用する方法も採用可能である。
【００７９】
また、上記した第１の実施形態に示した手順は、経路案内システム１０ａを構成するコンピュータ（図１３の９０００）に、経路案内システム１０ａの各部の機能を実現させるプログラムにより実現可能である。このようなコンピュータは、図１３のＣＰＵ（Ｃｅｎｔｒａｌ  Ｐｒｏｃｅｓｓｉｎｇ  Ｕｎｉｔ）９０１０、通信インタフェース９０２０、メモリ９０３０、補助記憶装置９０４０を備える構成に例示される。すなわち、図１３のＣＰＵ９０１０にて、経路検索プログラムや経路評価プログラムを実行し、その補助記憶装置９０４０等に保持された各計算パラメーターの更新処理を実施させればよい。
【００８０】
即ち、上記した第１の実施形態に示した経路案内システム１０ａの各部（処理手段、機能）は、経路案内システム１０ａの構成装置に搭載されたプロセッサに、そのハードウェアを用いて、上記した各処理を実行させるコンピュータプログラムにより実現することができる。
【００８１】
最後に、本発明の好ましい形態を要約する。
［第１の形態］
（上記第１の視点による経路案内システム参照）
［第２の形態］
上記した経路案内システムは、前記優先条件を満たしていない経路が選択された場合、利用者ごとに、前記優先条件を満たしている経路と、前記選択された経路との距離差を記録し、
前記記録した距離差の統計値を、前記優先条件の重みづけ情報として利用する構成を採ることができる。
［第３の形態］
上記した経路案内システムは、前記優先条件として、エレベーター利用経路、エスカレーター利用経路、階段利用経路、スローブ利用経路の少なくとも１つを設定可能な構成とすることができる。
［第４の形態］
上記した経路案内システムの前記経路評価部は、前記地図上のエレベーター、エスカレーター、階段、スローブの配置情報を格納するデータベースを参照して、前記経路が優先条件を満たすか否かを判定する構成を採ることができる。
［第５の形態］
上記した経路案内システムは、
経路を選択しない条件を定めた非選択条件を設定可能であり、
前記経路評価部は、前記非選択条件に該当する経路の評価の対象から除外するようにしてもよい。
［第６の形態］
上記した経路案内システムの前記経路検索部は、前記端末から目的地に類似する施設が存在する代替経路も検索し、前記経路評価部による評価の候補に加える構成とすることもできる。
［第７の形態］
（上記第２の視点による端末参照）
［第８の形態］
（上記第３の視点による経路案内方法参照）
［第９の形態］
（上記第４の視点によるプログラム参照）
なお、上記第７〜第９の形態は、第１の形態と同様に、第２〜第６の形態に展開することが可能である。
【００８２】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択（部分的削除を含む）が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。さらに、上記引用した文献の各開示事項は、必要に応じ、本発明の趣旨に則り、本発明の開示の一部として、その一部又は全部を、本書の記載事項と組み合わせて用いることも、本願の開示事項に含まれるものと、みなされる。
【符号の説明】
【００８３】
１０、１０ａ  経路案内システム
１１  設定受付部
１１ａ  ユーザインタフェース部
１２  経路検索部
１３  経路評価部
１４  案内部
１５  ナビゲーション用地図記憶部
２０  端末
１００  経路案内装置
１５０  経路評価装置
１５１  経路評価部
１５２  記録部
２００  スマートフォン
３００  バリアフリーデータベース
９０００  コンピュータ
９０１０  ＣＰＵ
９０２０  通信インタフェース
９０３０  メモリ
９０４０  補助記憶装置
【図１】
2020105575.tif 000003
【図２】
2020105575.tif 000004
【図３】
2020105575.tif 000005
【図４】
2020105575.tif 000006
【図５】
2020105575.tif 000007
【図６】
2020105575.tif 000008
【図７】
2020105575.tif 000009
【図８】
2020105575.tif 000010
【図９】
2020105575.tif 000011
【図１０】
2020105575.tif 000012
【図１１】
2020105575.tif 000013
【図１２】
2020105575.tif 000014
【図１３】
2020105575.tif 000015
【国際調査報告】
2020105575.tif 000016
2020105575.tif 000017
2020105575.tif 000018
2020105575.tif 000019